【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
第１の通信システムと、該第１の通信システムとは異なる第２の通信システムとに従い動作する通信ネットワークであって、該通信ネットワークは、
無線端末であって、該無線端末は、
該無線端末の無線リソース・プロトコル層を用いるクライアント・エンティティ
を備え、該無線端末の前記無線リソース・プロトコル層は前記第１の通信システムに関係し、該無線端末は、無線地上波接続を経由して前記通信ネットワーク内で情報交換し、該無線地上波接続においては該無線端末の無線リソース・プロトコル層に関係した通信システムが用いられ、該無線端末の無線リソース・プロトコル層を変更することにより、無線地上波接続において用いる通信システムを再設定可能である、前記無線端末と、
ノードであって、該ノードは、
該ノードの無線リソース・プロトコル層を用いるサーバ・エンティティと、
前記無線端末が無線地上波接続において用いる通信システムを再設定するのに適合したソフトウェアであって、前記無線端末に該ソフトウェアがインストールされると、前記無線端末の無線リソース・プロトコル層は前記第２の通信システムに関係した無線リソース・プロトコル層に変更される、前記ソフトウェアと
を備え、該ノードの前記無線リソース・プロトコル層は前記第１の通信システムに関係し、該ノードは、無線地上波接続を経由して前記通信ネットワーク内で情報交換し、該無線地上波接続においては該ノードの無線リソース・プロトコル層に関係した通信システムが用いられる、前記ノードと
を備え、
前記第１の通信システムに関係した前記無線リソース・プロトコル層は、
前記第１の通信システムを用いた無線地上波接続を管理するための第一メッセージと、
前記無線端末が前記第２の通信システムを用いた無線地上波接続を経由して前記通信ネットワーク内で情報交換するように、前記ノードから前記無線端末に前記ソフトウェアをダウンロードしてインストールする一連処理を管理するための追加メッセージと
を含み、
前記クライアント・エンティティおよび前記サーバ・エンティティは、前記第１の通信システムを用いた無線地上波接続を経由して前記追加メッセージを交換して前記一連処理を行う、
通信ネットワーク。
【請求項２】
−無線アクセス・ネットワークおよびコア・ネットワークを含み、
−前記無線リソース・プロトコル層が前記コア・ネットワークのプロトコル層である、請求項１に記載のネットワーク。
【請求項３】
−無線アクセス・ネットワークおよびコア・ネットワークを含み、
−前記無線リソース・プロトコル層が前記無線アクセス・ネットワークのプロトコル層である、請求項１に記載のネットワーク。
【請求項４】
−前記無線アクセス・ネットワークが無線コントローラを含み、
−前記無線リソース・プロトコル層が前記無線コントローラのプロトコル層である、請求項３に記載のネットワーク。
【請求項５】
前記無線アクセス・ネットワークが、第二世代ネットワークに従って動作する、請求項２に記載のネットワーク。
【請求項６】
前記無線アクセス・ネットワークが、第三世代ネットワークに従って動作する、請求項２に記載のネットワーク。
【請求項７】
前記無線地上波接続が、前記通信ネットワークの汎用チャネルを介して確立される、請求項１に記載のネットワーク。
【請求項８】
前記無線地上波接続が、前記通信ネットワークの無線チャネルを介して確立される、請求項１に記載のネットワーク。
【請求項９】
前記ソフトウェアは少なくとも１個のモジュールを含み、前記通信システムは、音声通話、データ送信、および前記少なくとも１個のモジュールのダウンロードの間での優先順位を管理すべく設定された、請求項１に記載のネットワーク。
【請求項１０】
前記ソフトウェアは少なくとも１個のモジュールを含み、前記クライアント・エンティティおよび前記サーバ・エンティティは地上波ソフトウェア・モジュールを備え、前記地上波ソフトウェア・モジュールは、音声通話の間に、前記少なくとも１個のモジュールをダウンロードすべく設定された、請求項１に記載のネットワーク。
【請求項１１】
前記ソフトウェアは、前記第２の通信システムにより前記無線端末を少なくとも部分的に再設定するのに適した、請求項１に記載のネットワーク。
【請求項１２】
−前記無線端末は、前記第２の通信システムに対して少なくとも能力測定を実行するためのプロトコル・スタックの層を含む、請求項１１に記載のネットワーク。
【請求項１３】
ある通信ネットワークに属する無線端末を再設定する方法であって、該通信ネットワークにはノードが属し、該通信ネットワークは、第１の通信システムと、該第１の通信システムとは異なる第２の通信システムとに従い動作し、
前記無線端末は、
該無線端末の無線リソース・プロトコル層を用いるクライアント・エンティティ
を備え、該無線端末の前記無線リソース・プロトコル層は前記第１の通信システムに関係し、該無線端末は、無線地上波接続を経由して前記通信ネットワーク内で情報交換し、該無線地上波接続においては該無線端末の無線リソース・プロトコル層に関係した通信システムが用いられ、該無線端末の無線リソース・プロトコル層を変更することにより、無線地上波接続において用いる通信システムを再設定可能であり、
前記ノードは、
該ノードの無線リソース・プロトコル層を用いるサーバ・エンティティと、
前記無線端末が用いる通信システムを再設定するのに適合したソフトウェアであって、前記無線端末に該ソフトウェアがインストールされると、前記無線端末の無線リソース・プロトコル層は前記第２の通信システムに関係した無線リソース・プロトコル層に変更される、前記ソフトウェアと
を備え、該ノードの前記無線リソース・プロトコル層は前記第１の通信システムに関係し、該ノードは、無線地上波接続を経由して前記通信ネットワーク内で情報交換し、該無線地上波接続においては該ノードの無線リソース・プロトコル層に関係した通信システムが用いられ、
前記第１の通信システムに関係した前記無線リソース・プロトコル層は、
前記第１の通信システムを用いた無線地上波接続を管理するための第一メッセージと、
前記ノードから前記無線端末に前記ソフトウェアをダウンロードしてインストールする一連処理を管理するための追加メッセージと
を含み、
前記方法は、
前記クライアント・エンティティおよび前記サーバ・エンティティが、前記第１の通信システムを用いた無線地上波接続を経由して前記追加メッセージを交換するステップ
を含み、
前記追加メッセージを交換する前記ステップは、前記第１の通信システムを用いた無線地上波接続を経由して前記一連処理を行い、前記無線端末が前記第２の通信システムを用いた無線地上波接続を経由して前記通信ネットワーク内で情報交換するようにするステップを含む、
方法。
【請求項１４】
前記追加メッセージを交換する前記ステップは、
メッセージの種類を識別する第一のフィールドと、
メッセージが示す前記無線端末を識別する第二のフィールドと、
データ情報を含む第三のフィールドと
を各々含むメッセージを交換するステップを含む、請求項１３に記載の方法。
【請求項１５】
前記追加メッセージを交換する前記ステップは、
ａ）前記ソフトウェアのダウンロード要求を実行するステップと、
ｂ）前記クライアント・エンティティおよび前記サーバ・エンティティを相互に認証するステップと、
ｃ）前記サーバ・エンティティからダウンロード可能な前記ソフトウェアを受け入れる前記無線端末の能力を調べるステップと、
ｄ）ダウンロード・オプションに関する情報を提供するステップと、
ｅ）前記ソフトウェアをブロックに分割するステップと、
ｆ）前記ブロックを前記サーバ・エンティティから、前記無線端末へ送信するステップと、
ｇ）前記ブロックから前記ソフトウェアを再構築して、再構築された前記ソフトウェアをテストするステップと、
ｈ）前記ソフトウェアを前記無線端末にインストールするステップと
を含む、請求項１４に記載の方法。
【請求項１６】
前記追加メッセージを交換する前記ステップは、
前記無線端末へダウンロードされた前記ブロックの構造を監視するステップ
を含む、請求項１５に記載の方法。
【請求項１７】
前記追加メッセージを交換する前記ステップは、
前記一連処理の実行に許される時間を制限する一組のタイマー（Ｔ１００、Ｔ２００、Ｔ３００、Ｔ４００、Ｔ５００、Ｔ１０１、Ｔ２０１、Ｔ３０１、Ｔ３０２、Ｔ４０１、Ｔ５０１）を管理するステップ
を含む、請求項１５に記載の方法。
【請求項１８】
前記追加メッセージを交換する前記ステップは、
−前記無線端末により実行される処理を監視する第一のタイマーおよび前記サーバ・エンティティにより実行される処理を監視する第二のタイマーという少なくとも一対のタイマーであって、前記のタイマーの各々は、ある処理が開始された時点で開始され、該ある処理が完了した時点で停止される、前記少なくとも一対のタイマーを割当てるステップ
を含む、請求項１５に記載の方法。
【請求項１９】
前記相互認証ステップは「チャレンジ応答」方式に基づく、請求項１５に記載の方法。
【請求項２０】
前記ソフトウェアをブロックに分割する前記ステップは、１〜２ｋＢｙｔｅのサイズを有するブロックに分割するステップを含み、前記ブロックを送信する前記ステップは、ウィンドウ・プロトコルを管理して、前記ソフトウェアが分割されたブロックのサイズにウィンドウ・サイズを合致させるステップを含む、請求項１５に記載の方法。
【請求項２１】
前記無線端末に前記ソフトウェアをインストールする前にライセンスが要求される、請求項１５に記載の方法。
【請求項２２】
前記ソフトウェアが、前記無線端末にダウンロードされる前に、鍵により暗号化される、請求項１３に記載の方法。
【請求項２３】
前記無線端末が用いる通信システムを再設定するのに適合した少なくとも二組のソフトウェアを前記無線端末に保存するステップを更に含む、請求項１３に記載の方法。
【請求項２４】
前記ソフトウェアをダウンロードする前記ステップは、
−前記無線端末が用いる通信システムを再設定するのに適合した更なるソフトウェアであって、前記無線端末に該更なるソフトウェアがインストールされると、前記無線端末の無線リソース・プロトコル層は第３の通信システムに関係した無線リソース・プロトコル層に変更される、前記更なるソフトウェアをダウンロードするステップを含む、請求項１３に記載の方法。
【請求項２５】
請求項１３〜２４のいずれかに記載の方法のステップを実行するクライアント・エンティティを含む無線端末。
【請求項２６】
請求項１３〜２４のいずれかに記載の方法のステップを実行するサーバ・エンティティを含むノード。
【請求項２７】
コンピュータのメモリにロード可能であって、前記コンピュータを請求項１３〜２４の何れか一項に記載の前記無線端末として機能させるコンピュータ・プログラム。
【請求項２８】
コンピュータのメモリにロード可能であって、前記コンピュータを請求項１３〜２４の何れか一項に記載の前記ノードとして機能させるコンピュータ・プログラム。